(57)【要約】  【課題】  壁面近くに設置される壁面設置物の着脱および壁面設置物の修繕等を行う作業を共に容易にする昇降着脱装置を提供する。  【解決手段】  壁面の近くに設置される壁面設置物２を昇降すると共にその壁面設置物２と着脱可能に取り付けられる昇降着脱装置３であって、少なくとも１つの接続部位１３を有する本体１１と、当該接続部位１３に取り付けられ、本体１１の高さ方向に回動する少なくとも１本の細長いリンク部材１４とを備え、リンク部材１４は、少なくとも４００ｍｍの長さを有し、かつ壁面設置物２と接合する部位において、壁面設置物２を支えると共に壁面設置物２を昇降させる支持部１５を有し、リンク部材１４とその高さ方向にある本体１１の一部とをつなぎ、リンク部材１４を壁面に向かって回動するように上方に付勢する弾性体１８を備える昇降着脱装置３とする。【選択図】  図３
2006346267.tif 000002
【特許請求の範囲】
【請求項１】
壁面の近くに設置される壁面設置物を昇降すると共にその壁面設置物と着脱可能に取り付けられる昇降着脱装置であって、
少なくとも２つの接続部位を有する本体と、
当該接続部位に取り付けられ、上記本体の高さ方向に回動する少なくとも１本の細長いリンク部材とを備え、
上記リンク部材は、少なくとも４００ｍｍの長さを有し、かつ上記壁面設置物と接合する部位において、上記壁面設置物を支えると共に上記壁面設置物を昇降させる支持部を有し、
上記リンク部材とその高さ方向にある上記本体の一部とをつなぎ、上記リンク部材を壁面に向かって回動するように上方に付勢する弾性体を備えることを特徴とする昇降着脱装置。
【請求項２】
前記リンク部材は、前記本体の高さ方向に複数本並んで配置されると共に、前記本体の幅方向に少なくとも４００ｍｍの距離を隔てて、当該複数本を２組配置することを特徴とする請求項１に記載の昇降着脱装置。
【請求項３】
前記弾性体は、ガス封入スプリングであることを特徴とする請求項１または２に記載の昇降着脱装置。
【請求項４】
壁面の近くに設置される壁面設置物と、その壁面設置物を昇降すると共にその壁面設置物と着脱可能に取り付けられる昇降着脱装置とを備える壁面設置物昇降着脱装置であって、
上記昇降着脱装置は、
少なくとも１つの接続部位を有する本体と、
当該接続部位に取り付けられ、上記本体の高さ方向に回動する少なくとも１本の細長いリンク部材とを備え、
上記リンク部材は、少なくとも４００ｍｍの長さを有し、かつ上記壁面設置物と接合する部位において、上記壁面設置物を支えると共に上記壁面設置物を昇降させる支持部を有し、
上記リンク部材とその高さ方向にある上記本体の一部とをつなぎ、上記リンク部材を壁面に向かって回動するように上方に付勢する弾性体とを備え、
上記壁面設置物は、上記支持部と接触すると共に、上記壁面設置物の昇降時に上記支持部の周囲で回転を許容する取り付け部を有することを特徴とする壁面設置物昇降着脱装置。
【請求項５】
前記リンク部材は、前記本体の高さ方向に複数本並んで配置されると共に、前記本体の幅方向に少なくとも４００ｍｍの距離を隔てて、当該複数本を２組配置することを特徴とする請求項４に記載の壁面設置物昇降着脱装置。
【請求項６】
前記弾性体は、ガス封入スプリングであることを特徴とする請求項４または５に記載の壁面設置物昇降着脱装置。
【請求項７】
前記壁面設置物を降ろした状態において、前記壁面設置物を載せるスタンドを、さらに備えることを特徴とする請求項４から６のいずれか１項に記載の壁面設置物昇降着脱装置。
【請求項８】
前記壁面設置物は、前記昇降着脱装置と反対側の面に、外部から映像を投射されるスクリーンを有しそのスクリーン自体の振動によりスクリーン前方に音を出力する直接駆動型スクリーン、または当該直接駆動型スクリーンを複数接続して大型にした大型スクリーンであることを特徴とする請求項４から７のいずれか１項に記載の壁面設置物昇降着脱装置。
【発明の詳細な説明】
【技術分野】
【０００１】
本発明は、壁の近くに設置される壁面設置物を昇降すると共に壁面設置物を着脱可能な昇降着脱装置、および当該装置に壁面設置物を備えた壁面設置物昇降着脱装置に関する。
【背景技術】
【０００２】
従来より、パネル状設置物を昇降させる装置として、壁面に沿って昇降動作を行う装置、あるいはリンク機構に据え付けられると共に壁面との間隔を変えながら壁面と平行に昇降動作を行う装置が知られている。壁面に沿って昇降動作を行う装置の一例は、例えば、特許文献１に開示されている。また、リンク機構に据え付けられると共に壁面との間隔を変えながら壁面と平行に昇降動作を行う装置の一例は、例えば、特許文献２に開示されている。
【０００３】
特許文献１に開示される昇降ボードは、メインボードを壁面に沿って上下方向に昇降する機能を有している。一方、特許文献２に開示される多目的パネル昇降装置は、当該装置の支柱と平行リンクを介して接続されるパネルを、壁面との間隔を変えながら壁面と平行に昇降動作を行う機能を有している。
【特許文献１】特開平１０−１４６９０号公報（図３等）
【特許文献２】特開平６−２６９３４３号公報（図２等）
【発明の開示】
【発明が解決しようとする課題】
【０００４】
しかし、上述の従来技術には、次のような問題がある。まず、特許文献１に開示される昇降ボードの場合には、メインボードのような壁面設置物と壁面との間にほとんどスペースがない。このため、壁面設置物の修繕等を行う場合には、壁面設置物を昇降装置から取り外して行わなければならないという煩わしさがある。
【０００５】
一方、特許文献２に開示される多目的パネル昇降装置の場合には、壁面設置物と壁面との間の間隔を変えながら昇降する機能上、壁面設置物と昇降装置との間にスペースが存在する。しかし、昇降装置と壁面設置物との間には、いろいろな部材が介在しており、作業をするスペースとしては十分ではない。さらに、壁面設置物を昇降装置から脱着する場合に工具を必要とするため、壁面設置物を容易に脱着することはできない。加えて、壁面設置物を昇降装置から取り外した後に、昇降装置側にリンク機構が突出したままとなるので、これを収めるには工具を使った作業が必要になるという煩わしさもある。
【０００６】
本発明は、上記の問題に鑑みてなされたものであり、壁面近くに設置される壁面設置物の着脱および壁面設置物の修繕等を行う作業を共に容易にする昇降着脱装置およびこれに壁面設置物を備えた壁面設置物昇降着脱装置を提供することを目的とする。
【課題を解決するための手段】
【０００７】
上記目的を達成するために、本発明は、壁面の近くに設置される壁面設置物を昇降すると共にその壁面設置物と着脱可能に取り付けられる昇降着脱装置であって、少なくとも１つの接続部位を有する本体と、当該接続部位に取り付けられ、本体の高さ方向に回動する少なくとも１本の細長いリンク部材とを備え、リンク部材は、少なくとも４００ｍｍの長さを有し、かつ壁面設置物と接合する部位において、壁面設置物を支えると共に壁面設置物を昇降させる支持部を有し、リンク部材とその高さ方向にある本体の一部とをつなぎ、リンク部材を壁面に向かって回動するように上方に付勢する弾性体を備えた昇降着脱装置としている。
【０００８】
また、別の本発明は、先の昇降着脱装置におけるリンク部材を、本体の高さ方向に複数本並んで配置されるようにすると共に、本体の幅方向に少なくとも４００ｍｍの距離を隔てて、当該複数本を２組配置するようにした昇降着脱装置としている。
【０００９】
また、別の本発明は、先の昇降着脱装置における弾性体を、ガス封入スプリングとする昇降着脱装置としている。
【００１０】
また、本発明は、壁面の近くに設置される壁面設置物と、その壁面設置物を昇降すると共にその壁面設置物と着脱可能に取り付けられる昇降着脱装置とを備える壁面設置物昇降着脱装置であって、昇降着脱装置は、少なくとも１つの接続部位を有する本体と、当該接続部位に取り付けられ、本体の高さ方向に回動する少なくとも１本の細長いリンク部材とを備え、リンク部材は、少なくとも４００ｍｍの長さを有し、かつ壁面設置物と接合する部位において、壁面設置物を支えると共に壁面設置物を昇降させる支持部を有し、リンク部材とその高さ方向にある本体の一部とをつなぎ、リンク部材を壁面に向かって回動するように上方に付勢する弾性体とを備え、壁面設置物は、支持部と接触すると共に、壁面設置物の昇降時に支持部の周囲で回転を許容する取り付け部を有する壁面設置物昇降着脱装置としている。
【００１１】
また、別の本発明は、先の壁面設置物昇降着脱装置において、昇降着脱装置に取り付けられるリンク部材を、本体の高さ方向に複数本並んで配置されると共に、本体の幅方向に少なくとも４００ｍｍの距離を隔てて、当該複数本を２組配置するようにした壁面設置物昇降着脱装置としている。
【００１２】
また、別の本発明は、先の壁面設置物昇降着脱装置において、昇降着脱装置に取り付けられる弾性体をガス封入スプリングとした壁面設置物昇降着脱装置としている。
【００１３】
また、別の本発明は、先の壁面設置物昇降着脱装置において、壁面設置物を降ろした状態において、壁面設置物を載せるスタンドを、さらに備える壁面設置物昇降着脱装置としている。
【００１４】
また、別の本発明は、先の壁面設置物昇降着脱装置において、壁面設置物を、昇降着脱装置と反対側の面に、外部から映像を投射されるスクリーンを有しそのスクリーン自体の振動によりスクリーン前方に音を出力する直接駆動型スクリーン、または当該直接駆動型スクリーンを複数接続して大型にした大型スクリーンとした壁面設置物昇降着脱装置としている。
【発明の効果】
【００１５】
本発明によれば、壁面近くに設置される壁面設置物の着脱および壁面設置物の修繕等を行う作業を共に容易にすることができる。
【発明を実施するための最良の形態】
【００１６】
次に、本発明に係る昇降着脱装置および壁面設置物昇降着脱装置の実施の形態について説明する。なお、昇降着脱装置は壁面設置物昇降着脱装置の一部を構成するため、昇降着脱装置の実施の形態は、壁面設置物昇降着脱装置の実施の形態の中で説明する。
【００１７】
図１は、本発明の実施の形態に係る壁面設置物昇降着脱装置１を壁面近くに配置して、上方から見た平面図である。図２は、図１に示す壁面設置物昇降着脱装置１を壁面側から見た背面図である。また、図３は、図１に示す壁面設置物昇降着脱装置１を、壁に向かって左側から見た左側面図であり、壁面設置物２の昇降動作がわかるように示した図である。なお、以後、図３に示す壁面設置物昇降着脱装置１の壁面の方向を裏、壁面と反対方向を正面、床の方向を下、床と反対方向を上、図３の紙面表方向を左、図３の紙面裏方向を右として説明する。
【００１８】
壁面設置物昇降着脱装置１は、壁面近くに設置される壁面設置物２と、壁面設置物２を昇降し、かつ壁面設置物２と着脱可能に接続される昇降着脱装置３と、壁面設置物２を独立して床に立設させるためのスタンド４とを備えている。
【００１９】
この実施の形態では、壁面設置物２は、昇降着脱装置３と反対側の面に、外部から映像を投射されるスクリーンを有しそのスクリーン自体の振動によりスクリーン前方に音を出力する直接駆動型スクリーンを複数枚接続した大型スクリーンである。ただし、壁面設置物２は、上述の１枚だけの直接駆動型スクリーンであっても良い。さらに、壁面設置物２は、映像が投射されるだけのスクリーン、音を出力するだけの振動板、またはこれら以外の任意の設置物であっても良い。
【００２０】
図２に示すように、壁面設置物２は、昇降着脱装置３と対向する面であって、左右両側の同じ高さに２段に、昇降着脱装置３と接続するフック（取り付け部の一例）５が１個ずつ、合計４個設けられている。各フック５は、下に開口部位６を有する凹状の金属板である。各フック５は、開口部位６から上に向かって楕円形状を描く凹部７を有している。
【００２１】
また、図２および図３に示すように、壁面設置物２の裏面における下側の各角には、一辺が３０ｍｍおよび５０ｍｍの長方形の底面を有し、高さ５０ｍｍの直方体であって、上下方向に貫通する直径２０．２ｍｍの円筒形状の穴を備えた受け部８が１個ずつ固定されている。また、スタンド４は、１本の角棒９と、その角棒９の中央部から垂直上方に伸びる１本の丸棒材１０とから構成されている。角棒９は、一辺５０ｍｍで長さ５００ｍｍの大きさである。また、丸棒材１０は、その先端が面取りされ、直径２０ｍｍで長さ２００ｍｍの円柱形状を有しており、受け部８の穴に挿入できる大きさである。
【００２２】
図２に示すように、昇降着脱装置３は、上下方向に細長い２本の支柱（本体の一例）１１，１１を互いに所定間隔をあけて備えている。支柱１１は、厚さ３ｍｍのアルミニウム製の板を一辺が５０ｍｍの中空状の角柱状としたものである。各支柱１１は、不図示のボルト等の固定部材によって壁面に固定されている。また、２本の支柱１１，１１は、これらと直角方向に伸びる上下各１本ずつのシャフト（本体の一例）１２，１２で接続されている。シャフト１２は、アルミニウム製であって、直径２０ｍｍの円柱形状の細長い丸棒である。
【００２３】
シャフト１２，１２は、２本の支柱１１，１１をそれぞれ貫いている。支柱１１を貫いたシャフト１２の先端部１３には、壁面設置物２の方向に伸びるリンク部材１４が各１本ずつで、合計４本取り付けられている。リンク部材１４は、一辺が３０ｍｍのアルミニウム製の角棒である。リンク部材１４は、先端部１３に、先端部１３を軸に上下方向に回動可能に取り付けられている。また、左右１組のリンク部材１４の両外側面の間隔は、壁面設置物２に固定されている左右１組のフック５の両内側面の間隔よりも２個のフック５の厚み分だけ狭く設定されている。
【００２４】
リンク部材１４の長さは、９００ｍｍである。また、左右のリンク部材１４は、４０００ｍｍ以上の間隔をあけて配置されている。したがって、９００ｍｍ×４０００ｍｍの床面積にて、作業を行うことができる。なお、一人の作業員のスペースとしては、左右のリンク部材１４は、少なくとも４００ｍｍの間隔をあけて設置されるのが好ましく、また、リンク部材１４の長さは少なくとも４００ｍｍ以上が好ましく、更には６００ｍｍ以上が好ましい。
【００２５】
各リンク部材１４における先端部１３と反対側の端部近傍には、リンク部材１４と直交し、かつ先端部１３の延長方向に相当する外側方向に伸びるピン（支持部の一例）１５が固定されている。ピン１５は、フック５の凹部７の曲率半径とほぼ等しい半径を有する。具体的には、ピン１５は、直径８ｍｍで長さ５０ｍｍの丸棒である。ピン１５は、フック５の凹部７の内底部まで入る。
【００２６】
図３に示すように、各リンク部材１４の長さ方向略中央部分であって、各リンク部材１４に固定される各ピン１５がのびる方向（図３の紙面表方向）に相当する外側面には、各ピン１５と同じ方向にのびる接続ピン１６がそれぞれ備えられている。また、各支柱１１の外側面であって、各リンク部材１４の取り付け部分である各先端部１３の下方には、各１個ずつのブラケット１７が固定されている。
【００２７】
図３に示すように、各接続ピン１６と、各接続ピン１６を固定する各リンク部材１４の下方に固定されているブラケット１７とは、これら１６，１７の軸のまわりに旋回可能な取り付け部分を有する各１本のガス封入スプリング１８で接続されている。各ガス封入スプリング１８は、常に、接続されている各リンク部材１４を上に回動させる向きに付勢するように、各接続ピン１６と各ブラケット１７との間に取り付けられている。ガス封入スプリング１８は、密閉されたシリンダチューブの中にオイルと高圧ガスを封じこんだものであり、一端から突出しているピストンロッドを押しこむことにより、荷重を発生させる機構を有している。通常、ロッドはガス圧力により外部に押しだされ、いっぱいに伸びきった状態になっている。ガス封入スプリング１８の場合、ピストンロッドの断面積が小さいので、ストロークに対してガス室体積の変化が小さく、荷重の上昇は比較的小さくて済む。このため、金属バネに比べて、大きな初期荷重で小さなバネ定数が得られる。
【００２８】
次に、図３に基づいて、昇降着脱装置３から壁面設置物２を下降して前方に移動する動作について説明する。
【００２９】
壁面設置物昇降着脱装置１を壁面に固定した状態は、図３において、実線で示す昇降着脱装置３と、上方に持ち上げられている２点鎖線で示す壁面設置物２とを重ねるように収めた状態である。この状態から壁面設置物２を下方に引き下げると、リンク部材１４が先端部１３を中心に下方に向かって回動する。すると、図３において実線で示すように、壁面設置物２が昇降着脱装置３から離れて、正面方向に引き出される。壁面設置物２が正面に引き出されてくると、壁面設置物２の重力と、ガス封入スプリング１８の上方への付勢力とが釣り合ってくる。壁面設置物２が立設する位置にスタンド４を置き、スタンド４の丸棒材１０を受け部８の穴に挿入する。この結果、壁面設置物２がスタンド４に支えられて床に自立する。
【００３０】
図３において実線で示すように、壁面から所定の距離を離して壁面設置物２を自立させると、作業者が壁面設置物２と壁面に沿って固定されている支柱１１との間に入って、壁面設置物２の裏面で修理等の作業を容易に行うことができる。特に、壁面設置物２と支柱１１との間には、両者２，１１を接続するリンク部材１４しか存在せず、かつリンク部材１４は壁面設置物２の左右両端に存在するので、壁面設置物２の裏側での作業が容易である。
【００３１】
一方、修理等の作業を終え、壁面設置物２を再び、壁面に沿って配置したい場合には、リンク部材１４を上方に持ち上げる。リンク部材１４にはガス封入スプリング１８が上方に付勢されるように接続されているので、小さな力で壁面設置物２を上方に持ち上げることができる。すなわち、途中まで壁面設置物２を持ち上げると、ガス封入スプリング１８の上方への付勢力の助けをかり、壁面設置物２を図３に示す２点鎖線のような状態まで容易に持ち上げることができる。
【００３２】
図４は、壁面設置物２を昇降着脱装置３に重ねるように収納した状態を左側方から見た側面図である。
【００３３】
図４に示す状態から明らかなように、壁面設置物２の上端は、支柱１１の上端およびリンク部材１４の先端のいずれよりも上方にある。また、壁面設置物２の下端は、支柱１１の下端よりも下方にある。さらに、図２に示すように、両支柱１１，１１の間隔は、壁面設置物２の左右の幅よりも狭く、かつ両支柱１１，１１は共に壁面設置物２の内側に存在する。したがって、壁面設置物２を正面から見たときに、壁面設置物２の裏側に配置されている昇降着脱装置３が壁面設置物２の裏側に完全に隠れるので、昇降着脱装置３が見えない。
【００３４】
図５および図６は、昇降着脱装置３と壁面設置物２とを完全に分離した状態における昇降着脱装置３および壁面設置物２を、それぞれ示す図である。
【００３５】
リンク部材１４の先端に固定されているピン１５を、壁面設置物２に固定されているフック５の凹部７から外すと、図５に示すように、リンク部材１４は、ガス封入スプリング１８の上方への付勢力により真上に持ち上げられ支柱１１とほぼ平行の状態になる。このため、リンク部材１４が、壁面近くを通行する人の邪魔にならない。
【００３６】
また、壁面設置物２は、スタンド４（図６では図示省略）に支えられて、図６に示すように、壁面と平行な状態で独立して立設する状態になる。壁面設置物２は、リンク部材１４の回動および凹部７のピン１５の回りでの旋回によって、常に図６に示す状態で昇降動作を行うことができる。したがって、昇降動作中に必要となる壁面からの距離を最小限にすることができる。
【００３７】
図７は、壁面設置物昇降着脱装置１の変形例を構成する昇降着脱装置３を示す図である。
【００３８】
昇降着脱装置３は、壁面に固定されるものではなく、図７に示すように、壁面に沿って自立する装置であっても良い。各支柱１１の下端に、正面方向に伸びるベース２０を接続し、かつ支柱１１の外側面とベース２０の端面とにより形成される面に、支柱１１が倒れないように補強する補強板２１を取り付けるのが好ましい。なお、支柱１１の内側面とベース２０の端面とで平面を形成するようにして、その平面に補強版２１を取り付けても良い。
【００３９】
上記実施の形態のように、壁面設置物昇降着脱装置１は、壁面の近くに設置される壁面設置物２と、当該壁面設置物２を昇降すると共にその壁面設置物２と着脱可能に取り付けられる昇降着脱装置３とを備え、昇降着脱装置３の２本の支柱１１は、左右方向の間隔を少なくとも４００ｍｍの距離を隔てて配置されるようにし、かつ各支柱１１に上下方向に回動可能に取り付けられている合計４本のリンク部材１４は、壁面設置物２を昇降着脱装置３の前方に立設する状態において壁面設置物２と昇降着脱装置３との間の距離を少なくとも４００ｍｍとできる長さとしている。さらに、リンク部材１４の接続ピン１６とブラケット１７とを、弾性体の一例であるガス封入スプリング１８で接続し、かつリンク部材１４が上方に回動する向き付勢されるようにガス封入スプリング１８を取り付けている。
【００４０】
このため、壁面設置物２の修理等の作業を行う際には、壁面設置物２を昇降着脱装置３の正面に下ろして、壁面設置物２と昇降着脱装置３との間に形成されるスペースに作業員が入り、容易に作業を行うことができる。また、作業終了後には、ガス封入スプリング１８の上方への付勢力の助けをかりながら、壁面設置物２を上方に移動して、昇降着脱装置３に重ねる位置に戻すことができるので、重量の大きな壁面設置物２でも、容易に戻すことができる。
【００４１】
また、リンク部材１４は、壁面設置物２から分離した際には、ガス封入スプリング１８の力で壁面にほぼ平行になる位置まで回動するので、昇降着脱装置３の正面に突出しない。したがって、昇降着脱装置３の正面に人が来ても、人がリンク部材１４に接触する危険性はない。
【００４２】
また、リンク部材１４に上方へ回動する向きに付勢力を与えるための弾性体としてガス封入スプリング１８を採用しているので、壁面設置物２を軽く持ち上げるだけで、比較的小さい力で、壁面設置物２を上方に持ち上げることができる。しかも、壁面設置物２を上方にゆっくりと移動させることができるので、安全な移動となる。
【００４３】
また、リンク部材１４は、各支柱１１の高さ方向に、左右同じ高さになるように２本並んで配置されている。このため、壁面設置物２の重量が大きい場合でも、その負荷を分散できる。したがって、壁面設置物昇降着脱装置１を安全かつ長期間、使用することができる。
【００４４】
また、壁面設置物２は、リンク部材１４の端部に固定されるピン１５と接触する部分に、下方向にピン１５を抜けるようにするための開口部位６を有すると共に壁面設置物２の昇降時にピン１５の周囲で回転を許容する形状の凹部７を有するフック５を備えている。このため、ガス封入スプリング１８の付勢力に逆らって、一旦、リンク部材１４を下方に回動させて、フック５の開口部位６からピン１５を外すことによって、壁面設置物２と昇降着脱装置３とを容易に分離することができる。また、壁面設置物２を上方または下方に移動する場合には、ピン１５が凹部７と接触しながらその端面において回転する。したがって、壁面設置物２は、壁面に対して平行を保持したまま上昇または下降する。このため、壁面設置物２の昇降動作時に必要となるスペースを最小限にできる。
【００４５】
また、壁面設置物２を降ろした状態において、壁面設置物２を昇降着脱装置３から独立して立設させるためのスタンド４を備えているので、壁面設置物２と昇降着脱装置３とを分離して作業等を行いたい場合、壁面設置物２を倒れないように安全な状態にしておくことができる。
【００４６】
また、壁面設置物２は、昇降着脱装置３と反対側の面に、外部から映像を投射されるスクリーンを有しそのスクリーン自体の振動によりスクリーン前方に音を出力する直接駆動型スクリーンを複数接続して大型にした大型スクリーンとしている。このため、当該大型スクリーンを設置する場合には、図４に示す状態にて壁面に固定する。通常の使用時には、その固定された状態にて、大型スクリーンに映像を投射すると共に大型スクリーンから音を出力して、映画を楽しむことができる。
【００４７】
一方、大型スクリーンの修理あるいは調整等の作業を必要とする場合には、リンク部材１４を下方に回動させ、壁面から前方で、かつ通常の使用時よりも下方へと大型スクリーンを移動する。大型スクリーンと昇降着脱装置３とはリンク部材１４のみで接続されているだけなので、左右のリンク部材１４の間に形成されるスペースに入って、容易に作業ができる。作業終了後は、そのスペースから作業員が出て、リンク部材１４を軽く持ち上げるだけで、ガス封入スプリング１８の上方への付勢力によって大型スクリーンを通常の使用時の位置まで持ち上げることができる。
【００４８】
以上、本発明に係る壁面設置物昇降着脱装置および昇降着脱装置の各実施の形態について説明したが、本発明に係る壁面設置物昇降着脱装置および昇降着脱装置は、上記の実施の形態に限定されることなく、種々変形した態様にて実施可能である。
【００４９】
リンク部材１４は、各支柱１１から２本ずつ合計４本備えられているが、各支柱１１から１本ずつ合計２本でも良い。さらに、各支柱１１から３本以上のリンク部材１４を備えても良い。また、リンク部材１４が回動可能に取り付けられている先端部１３と異なる接続部位として、例えば、２本の支柱１１の間にあるシャフト１２上の部位を利用しても良い。さらに、シャフト１２とは別個に、リンク部材１４を上下に回動可能に取り付ける接続部位を設けても良い。その場合、リンク部材１４を１本のみ備えるようにしても良い。
【００５０】
また、壁面設置物２と昇降着脱装置３とは、壁面設置物２側に固定されるフック５と昇降着脱装置３側に固定されるピン１５とにより接続しているが、フック５と同様の部材を昇降着脱装置３側に設け、ピン１５と同様の部材を壁面設置物２側に設けるようにしても良い。さらに、フック５は、開口部位６を持たない部材でも良く、例えば、ピン１５を側面から挿脱可能な閉じた穴を備えた部材としても良い。その場合、ピン１５を、左右方向に伸縮可能な支持部材とするのが良い。
【００５１】
また、ガス封入スプリング１８に代えて、バネ、ゴム等の他の弾性体、あるいは油圧シリンダを採用しても良い。また、バネを採用する場合、リンク部材１４を上方に付勢するように、シャフト１２の先端部１３の周囲に巻いた形態の巻きバネを採用しても良い。壁面設置物２は、必ずしも壁面と平行に設置されるものでなくても、壁面と５度あるいは１０度等の所定の角度で上下左右に傾斜して設置されるものでも良い。
【００５２】
また、壁面設置物２を昇降着脱装置３の前方に完全に移動した状態において、壁面設置物２の重力と弾性体の上方への付勢力とのバランスがとれた状態となるように弾性体のバネ定数を調整しても良く、あるいは壁面設置物２の重量の方が少し大きくなるように弾性体のバネ定数を調整しても良い。
【００５３】
また、昇降着脱装置３は、２本の支柱１１をシャフト１２で接続した本体を備えているが、かかる形態に限定されない。例えば、４本の支柱１１を各端部で接続した四角形状の枠体であっても良い。さらに、本体を平板としても良い。
【産業上の利用可能性】
【００５４】
本発明は、壁の近くに設置される壁面設置物を昇降すると共に壁面設置物を着脱可能な装置として利用可能である。
【図面の簡単な説明】
【００５５】
【図１】本発明の実施の形態に係る壁面設置物昇降着脱装置を壁面近くに配置して、上方から見た平面図である。
【図２】図１に示す壁面設置物昇降着脱装置を壁面側から見た背面図である。
【図３】図１に示す壁面設置物昇降着脱装置を壁に向かって左側から見た左側面図であり、壁面設置物の昇降動作がわかるように示した図である。
【図４】図１に示す壁面設置物を昇降着脱装置に重ねるように収納した状態を側方から見た側面図である。
【図５】図１に示す昇降着脱装置と壁面設置物とを完全に分離した状態における昇降着脱装置を示す図である。
【図６】図１に示す昇降着脱装置と壁面設置物とを完全に分離した状態における壁面設置物を示す図である。
【図７】図１に示す壁面設置物昇降着脱装置の変形例を構成する昇降着脱装置を示す図である。
【符号の説明】
【００５６】
１    壁面設置物昇降着脱装置
２    壁面設置物
３    昇降着脱装置
４    スタンド
５    フック（取り付け部の一例）
６    開口部位
７    凹部
８    受け部
９    角棒
１０  丸棒材
１１  支柱（本体の一例）
１２  シャフト（本体の一例）
１３  先端部（接続部位の一例）
１４  リンク部材
１５  ピン（支持部の一例）
１６  接続ピン
１７  ブラケット
１８  ガス封入スプリング
２０  ベース
２１  補強板
【図１】
2006346267.tif 000003
【図２】
2006346267.tif 000004
【図３】
2006346267.tif 000005
【図４】
2006346267.tif 000006
【図５】
2006346267.tif 000007
【図６】
2006346267.tif 000008
【図７】
2006346267.tif 000009